(57)【要約】【課題】  メーカや機種が異なる画像形成装置を携帯電話で操作する場合でも機種に依存した操作を覚える必要をなくす。【解決手段】  携帯端末は、画像形成装置の操作パネル情報をダウンロードし、画像形成装置の設定項目を携帯端末の操作キーに割り付ける（１７０１）。【選択図】  図１７
2007067534.tif 000002
【特許請求の範囲】
【請求項１】
画像形成装置とのデータの入出力をするＩ／Ｆ手段と、
前記Ｉ／Ｆ手段により前記画像形成装置と通信をする通信手段と、
前記通信手段により、前記画像形成装置の機能情報を取得する機能取得手段と、
前記機能取得情報により得られた情報を操作キーに割り当てる機能割り当て手段と、
前記画像形成装置を制御する制御手段を持ち、携帯端末操作部の前記制御手段により、印刷設定を行うことを特徴とする携帯情報端末。
【発明の詳細な説明】
【技術分野】
【０００１】
本発明は、画像形成装置を操作可能な携帯情報端末に関するものである。
【背景技術】
【０００２】
従来、携帯電話を用いて画像形成装置を操作することが行なわれてきた（例えば特許文献１参照）。
【特許文献１】特開２００３−１１４６３号公報
【発明の開示】
【発明が解決しようとする課題】
【０００３】
しかし、メーカーや機種が異なるＭＦＰなどの画像形成装置を操作する場合、思い通りに設定するためには機種に依存した操作を覚える必要がありユーザーの負荷が大きくなっていた。
【０００４】
本発明は、使用するＭＦＰと携帯端末で通信をして携帯端末上にＭＦＰの機能を吸い上げ、携帯端末上の操作パネルに機能の割り当てを行うことで使い慣れた携帯端末上のＵＩからＭＦＰの操作を可能にすることを目的とする。
【課題を解決するための手段】
【０００５】
上記課題を解決するために、本発明の携帯情報端末は、画像形成装置とのデータの入出力をするＩ／Ｆ手段と、前記Ｉ／Ｆ手段により前記画像形成装置と通信をする通信手段と、前記通信手段により、前記画像形成装置の機能情報を取得する機能取得手段と、前記機能取得情報により得られた情報を操作キーに割り当てる機能割り当て手段と、前記画像形成装置を制御する制御手段を持ち、携帯端末操作部の前記制御手段により、印刷設定を行うことを特徴とする。
【発明の効果】
【０００６】
本発明によって、各自が携帯端末上に用意したの操作パネルを使用するため、異なるメーカー及び機種のＭＦＰであっても、ある機能を実現するときに常に同一の動作で設定することが可能となり、ユーザーの利便性が向上する。
【発明を実施するための最良の形態】
【０００７】
以下添付図面を参照して、本発明に係る好適な実施例を詳細に説明する。
【０００８】
図１は携帯電話の概観を示す図である。携帯電話の操作に関する詳細な説明は後述する。
【０００９】
図２は、本実施の形態における画像形成装置を含むネットワークシステムである。
【００１０】
図中の２００はインターネット通信網である。２０１はウェブサーバであり、インターネット２００上に接続され、インターネットユーザーに特定のサービスを提供する。２０２は金融機関と消費者クライアントの間の決済処理などを行う電子マネーサーバである。２０４は個人ユーザーの端末とインターネット２００との接続処理を行うサービスプロバイダである。２０３はファイアーウォールであり、これにより下に図示したＬＡＮ２０１１内部と外部通信網（インターネット２００）とを接続し、セキュリティー管理などを行う。２１０はＬＡＮ２０１１で接続された２１１〜２１４、２２０の各機器管理サーバーである。２１１はファイルサーバであり、ＬＡＮで接続された複数のユーザーがデータを共有することができる。
【００１１】
２２０はデジタル複写機などの画像形成装置であり、主に画像の入出力機能を有する。この画像形成装置２２０において、１４０はユーザーが各種の操作を行うための操作部、１０は操作部１４０やパソコン２１２、２１３からの指示にしたがって画像を読み取るためのイメージスキャナ、２０はパソコン２１２、２１３やファイルサーバ２１１からのデータを用紙に印刷するプリンターである。
【００１２】
３０はコントローラユニットであり、操作部１４０やパソコン２１２、２１３からの指示に基づいてスキャナ１０、プリンター２０に対する画像データの入出力の制御を行う。例えば、スキャナ１０が取り込んだ画像データをコントローラ内部のメモリに蓄積したり、パソコン２１２、２１３に出力したり、あるいはプリンター２０で印刷するなどの制御を行う。２１４はプリンターであり、パソコン２１２、２１３やファイルサーバ２１１からの画像データを記録媒体上にプリントすることができる。２１２、２１３は端末装置として接続されたパソコンである。インターネット２００を介してウェブサーバ２０１から提供された情報を閲覧したり、画像データを画像形成装置２２０やプリンター２１４に出力したりすることができる。
【００１３】
なお、上記構成はインターネットにファイアーウォール２０３を介してＬＡＮ２０１１が接続されている構成となっているが、サービスプロバイダ２０４を介してファイアーウォールが接続される構成でもかまわない。
【００１４】
本実施の形態の画像処理装置の外観を図３に示す。
【００１５】
画像入力デバイスであるスキャナ部１０は、原稿画像をランプにより照射し、CCDラインセンサ(図示せず)で読み取り、電気信号に変換することで画像データとして処理を行なう。原稿用紙を原稿フィーダ１４２にセットし、装置使用者が操作部１４０から読み取り起動指示することにより、フィーダ２０７２は原稿用紙を１枚ずつフィードし原稿画像の読み取り動作を行う。
【００１６】
画像出力デバイスであるプリンタ部２０は、画像データを用紙上の画像に変換する部分であり、本特許の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部２０には、異なる用紙サイズまたは異なる用紙向きを選択できるように複数の給紙段を持ち、それに対応した用紙カセット２１０１、２１０２、２１０３、２１０４がある。また、画像形成された用紙は排紙トレイ１３２上に排出される。
【００１７】
図４は本発明の画像形成装置の構成を説明する断面図である。図面を用いて動作の詳細を説明する。
【００１８】
１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。
【００１９】
１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。また、１１０は感光ドラムであり、１１２の前露光ランプによって画像形成に備えて除電される。１１３は１次帯電器であり、感光ドラム１１０を一様に帯電させる。
【００２０】
１１７は露光手段であり、例えば半導体レーザー等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４、１４２、１４４は給紙ユニットであり（１２０は手差し給紙ユニット）、各給紙ローラ１２１、１２３、１２５、１４３、１４５の駆動により、転写用紙が装置内へ給送され、レジストローラ１２６の配設位置で一旦停止し、感光ドラム１１０に形成された画像との書き出しタイミングがとられ再給送される。
【００２１】
１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。
【００２２】
１２９は搬送ベルトで、転写プロセスの終了した転写用紙を定着器１３０に搬送し、例えば熱により定着される。１３１はフラッパであり、定着プロセスの終了した転写用紙の搬送パスを、ソーター１３２または中間トレイ１３７の配置方向のいずれかに制御する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２３】
１３９は排紙カウンタで印刷された用紙が本体の外へ排紙されるたびにカウントアップされ、１つのジョブが終了するとカウンター値がクリアされる。
【００２４】
３０のコントローラ部には後述するマイクロコンピュータ、画像処理部等を備えており、マンマシンインターフェース装置１４０からの指示に従って、前述の画像形成動作を行う。
【００２５】
操作部１４０の構成を図５に示す。LCD表示部１０３２は、LCD上にタッチパネルシートが貼られており、システムの操作画面を表示するとともに、表示してあるキーが押されるとその位置情報をコントローラユニット３０に伝える。図６を用いて後述する。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２６】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンターキーであり、コンピュータ等の外部装置からのプリント出力に関する設定などを行なうときに使用する。
【００２７】
１０３１は、音声ガイドキーであり、音声によるガイドを行なうときに、キーを押下して設定を行い、設定をオフにする場合には再度、押下して設定を解除することができる。
【００２８】
５０１はスピーカーで、音声によるガイドがスピーカーを通して出力する。５０２はハンドセットであり、これを使用して音声を入力したり、音声ガイドを聞くことができる。
【００２９】
図６は、操作パネル１４０のLCD表示部に表示される基本画面である。
【００３０】
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザーモードキーであり、モードメモリの登録、標準モード画面の設定がユーザーごとに行える。１００４は応用ズームキーであり、原稿のＸ方向、Ｙ方向を独立に変倍するモード、原稿のサイズと複写サイズから変倍率を計算するズームプログラムのモードに入る。
【００３１】
１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。１０１０はソーターキーであり、ソート出力、グループ出力等のモード設定を行う。
【００３２】
１０１１は原稿混載キーであり、原稿フィーダーにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。１０１３は用紙選択キーであり、複写用紙の選択を行う際に押す。
【００３３】
１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。１０２１はＨＩ／Ｆｉキーであり、写真原稿のように中間調の濃度が多い原稿の複写の際に押す。１０２２は文字強調キーであり、文字原稿の複写で文字を際立たせたい場合に押下する。
【００３４】
図７は画像形成装置におけるスキャナ１０、プリンタ２０の構成を示すブロック図である。
【００３５】
７５１はスキャナ１０全体の制御を行なうＣＰＵであり、制御プログラムを記憶した読み取り専用メモリ７５３（ＲＯＭ）からプログラムを順次読み取り、実行する。ＣＰＵのアドレスバス、データバスはバスドライバ、アドレスデコーダ７５２からなる回路を介して各負荷に接続されている。また、コントローラユニット３０のＣＰＵと接続され、通信を行なう。
【００３６】
７５４は、入力データの記憶や作業用記憶領域等として用いる主記憶装置としてのランダムアクセスメモリ(ＲＡＭ)である。７５５はI/Oインターフェースであり、給紙系、搬送系、光学系の駆動を行なうモーター類７５６、ランプ類７５７、また、搬送される用紙を検知する紙検知センサ類７５８等の装置の各負荷に接続される。
【００３７】
また、CCDユニット１０６により読み込まれた画像データは、コントローラ３０に転送される。
【００３８】
次に、７０１はプリンタ２０の制御を行うＣＰＵであり、制御手順（制御プログラム）を記憶した読み取り専用メモリ７０３（ＲＯＭ）からプログラムを順次読み取り、実行する。ＣＰＵ７０１のアドレスバスおよびデータバスは７０２のバスドライバー回路、アドレスデコーダ回路をへて各負荷に接続されている。また、７０４は入力データの記憶や作業用記憶領域等として用いる主記憶装置であるところのランダムアクセスメモリ（ＲＡＭ）である。
【００３９】
７０５はＩ／Ｏインターフェースであり、給紙系、搬送系、光学系の駆動を行うモーター類７０７、クラッチ類７０８、ソレノイド類７０９、また、搬送される用紙を検知するための紙検知センサ類７１０等の装置の各負荷に接続される。現像器１１８には現像器内のトナー量を検知する７１１のトナー残検センサが配置されており、その出力信号がＩ／Ｏポート７０５に入力される。７１５は高圧ユニットであり、ＣＰＵ７０１の指示に従って、前述の１次帯電器１１３、現像器１１８、転写前帯電器１１９、転写帯電器１２７、分離帯電器１２８へ高圧を出力する。
【００４０】
ＣＣＤユニット１０６から出力された画像信号はコントローラユニット３０により、後述する画像処理を行い、画像データに従って１１７のレーザーユニットの制御信号を出力する。レーザーユニット１１７から出力されるレーザー光は感光ドラム１１０を照射し、露光するとともに非画像領域において受光センサであるところの７１３のビーム検知センサによって発光状態が検知され、その出力信号がＩ／Ｏポート７０５に入力される。
【００４１】
コントローラユニットの構成図を図８に示す。コントローラユニット３０は画像入力デバイスであるスキャナ１０や画像出力デバイスであるプリンタ２０と接続し、一方ではLＡN２０１１や公衆回線(WＡN)２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。
【００４２】
ＲＯＭ２００３はブートＲＯＭであり、システムのブートプログラムが格納されている。HDD２００４はハードディスクドライブで、システムソフトウェア、画像データ、ソフトウェアカウンタ値などを格納する。操作部Ｉ／Ｆ２００６は操作部(ＵＩ)１４０とのインターフェース部で、操作部１４０に表示する画像データを操作部１４０に対して出力する。また、操作部１４０から本システム使用者が入力した情報を、ＣＰＵ２００１に伝える役割をする。
【００４３】
Ｎｅｔｗｏｒｋ２０１０はLＡN２０１１に接続し、情報の入出力を行う。Ｍｏｄｅｍ２０５０は公衆回線２０５１に接続し、情報の入出力を行う。Ｂｌｕｅｔｏｏｔｈユニット５００は携帯端末との情報通信を行うための入出力制御を行なう。時刻計測ユニット２２００にはリアルタイムクロックなどが用いられ、カレンダとして時刻の計測を行う。スキャナ、プリンタ通信Ｉ／Ｆはスキャナ１０、プリンタ２０のＣＰＵとそれぞれ通信を行なうためのＩ／Ｆである。以上のデバイスがシステムバス２００７上に配置される。
【００４４】
ＩｍＡｇｅ Ｂｕｓ Ｉ／Ｆ２００５はシステムバス２００７と画像データを高速で転送する画像バス２００８を接続し、データ構造を変換するバスブリッジである。画像バス２００８は、PCIバスまたはIEEE１３９４で構成される。画像バス２００８上には以下のデバイスが配置される。ラスターイメージプロセッサ(RIP)２０６０はPDLコードをビットマップイメージに展開する。デバイスＩ／Ｆ部２０２０は、画像入出力デバイスであるスキャナ１０やプリンタ２０とコントローラ３０を接続し、画像データの同期系/非同期系の変換を行う。スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００４５】
以下、図８に示したコントローラユニット３０内の各ブロックの説明を行なう。
【００４６】
図９はスキャナ画像処理部２０８０の構成を示す。画像バスＩ／Ｆコントローラ２０８１は、画像バス２００８と接続し、そのバスアクセスシーケンスを制御する働きと、スキャナ画像処理部２０８０内の各デバイスの制御及びタイミングを発生させる。フィルタ処理部２０８２は、空間フィルタでコンボリューション演算を行う。
【００４７】
編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ(図示せず)を走査する速度を変えることで行う。
【００４８】
テーブル２０８５は、読み取った輝度データである画像データを濃度データに変換するために、行うテーブル変換である。２値化２０８６は、多値のグレースケール画像データを、誤差拡散処理やスクリーン処理によって２値化する。
【００４９】
処理が終了した画像データは、再び画像バスコントローラ２０８１を介して、画像バス上に転送される。
【００５０】
プリンタ画像処理部２０９０の構成を図１０に示す。画像バスＩ／Ｆコントローラ２０９１は、画像バス２００８と接続し、そのバスアクセスシーケンスを制御する働きと、スキャナ画像処理部２０９０内の各デバイスの制御及びタイミングを発生させる。解像度変換部２０９２は、Ｎｅｔｗｏｒｋ２０１１あるいは公衆回線２０５１から来た画像データを、プリンタ２０の解像度に変換するための解像度変換を行う。スムージング処理部２０９３は、解像度変換後の画像データのジャギー(斜め線等の白黒境界部に現れる画像のがさつき)を滑らかにする処理を行う。
【００５１】
画像圧縮部２０４０の構成を図１１に示す。画像バスＩ／Ｆコントローラ２０４１は、画像バス２００８と接続し、そのバスアクセスシーケンスを制御する働き、入力バッファ２０４２・出力バッファ２０４５とのデータのやりとりを行うためのタイミング制御及び、画像圧縮部２０４３に対するモード設定などの制御を行う。以下に画像圧縮処理部の処理手順を示す。
【００５２】
画像バス２００８を介して、ＣＰＵ２００１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定(たとえばMMR圧縮・JBIG伸長等の)を行う。必要な設定を行った後に、再度ＣＰＵ２００１から画像バスＩ／Ｆコントローラ２０４１に対して画像データ転送の許可を行う。
【００５３】
この許可に従い、画像バスＩ／Ｆコントローラ２０４１はＲＡＭ２００２もしくは画像バス２００８上の各デバイスから画像データの転送を開始する。受け取った画像データは入力バッファ２０４２に一時格納され、画像圧縮部２０４３の画像データ要求に応じて一定のスピードで画像を転送する。この際、入力バッファは画像バスＩ／Ｆコントローラ２０４１と、画像圧縮部２０４３両者の間で、画像データを転送できるかどうかを判断し、画像バス２００８からの画像データの読み込み及び、画像圧縮部２０４３への画像の書き込みが不可能である場合は、データの転送を行わないような制御を行う(以後このような制御をハンドシェークと呼称する)。画像圧縮部２０４３は受け取った画像データを、一旦ＲＡＭ２０４４に格納する。
【００５４】
これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮(もしくは伸長)された画像データをＲＡＭ２００２もしくは画像バス２００８上の各デバイスにデータを転送する。こうした一連の処理は、ＣＰＵ２００１からの処理要求が無くなるまで(必要なページ数の処理が終わったとき)、もしくはこの画像圧縮部から停止要求が出るまで(圧縮及び伸長時のエラー発生時等)繰り返される。
【００５５】
画像回転部２０３０の構成を図１２に示す。画像バスＩ／Ｆコントローラ２０３１は、画像バス２００８と接続し、そのバスシーケンスを制御する働き、画像回転部２０３２にモード等を設定する制御及び、画像回転部２０３２に画像データを転送するためのタイミング制御を行う。以下に画像回転部の処理手順を示す。
【００５６】
画像バス２００８を介して、ＣＰＵ２００１から画像バスＩ／Ｆコントローラ２０３１に画像回転制御のための設定を行う。この設定により画像バスＩ／Ｆコントローラ２０４１は画像回転部２０３２に対して画像回転に必要な設定(たとえば画像サイズや回転方向・角度等)を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは３２ｂｉｔをそのサイズとし回転を行う画像サイズを３２×３２(ｂｉｔ)とし、又、画像バス２００８上に画像データを転送させる際に３２ｂｉｔを単位とする画像転送を行うものとする（扱う画像は２値を想定する）。
【００５７】
上述のように、３２×３２(ｂｉｔ)の画像を得るためには、上述の単位データ転送を３２回行う必要があり、且つ不連続なアドレスから画像データを転送する必要がある。(図１３参照)
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１４のようにY方向に書き込んでいく。読み出し時にX方向に読み出すことで、画像が回転される。
【００５８】
３  ２×３２(ｂｉｔ)の画像回転(ＲＡＭ２０３３への書き込み)が完了した後、画像回転部２０３２はＲＡＭ２０３３から上述した読み出し方法で画像データを読み出し、画像バスＩ／Ｆコントローラ２０３１に画像を転送する。
【００５９】
回転処理された画像データを受け取った画像バスＩ／Ｆコントローラ２０３１は、連続アドレッシングを以て、 ＲＡＭ２００２もしくは画像バス２００８上の各デバイスにデータを転送する。
【００６０】
こうした一連の処理は、ＣＰＵ２００１からの処理要求が無くなるまで(必要なページ数の処理が終わったとき)繰り返される。
【００６１】
デバイスＩ／Ｆ部２０２０の構成を図１５に示す。画像バスＩ／Ｆコントローラ２０２１は、画像バス２００８と接続し、そのバスアクセスシーケンスを制御する働きと、デバイスＩ／Ｆ部２０２０内の各デバイスの制御及びタイミングを発生させる。また、スキャナ１０及びプリンタ２０への制御信号を発生させる。スキャンバッファ２０２２は、スキャナ１０から送られてくる画像データを一時保存し、画像バス２００８に同期させて画像データを出力する。
【００６２】
シリアルパラレル・パラレルシリアル変換２０２３は、スキャンバッファ２０２２に保存された画像データを順番に並べて、あるいは分解して、画像バス２００８に転送できる画像データのデータ幅に変換する。パラレルシリアル・シリアルパラレル変換２０２４は、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、プリンタ２０に同期させて画像データを出力する。
【００６３】
画像スキャン時の処理手順を以下に示す。スキャナ１０から送られてくる画像データをスキャナ１０から送られてくるタイミング信号に同期させて、スキャンバッファ２０２２に保存する。そして、画像バス２００８がPCIバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス２００８上に転送する。また、画像バス２００８がIEEE１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス２００８上に転送する。
【００６４】
画像プリント時の処理手順を以下に示す。画像バス２００８がPCIバスの場合には、画像バスから送られてくる３２ビットの画像データを画像バスＩ／Ｆコントローラで受け取り、パラレルシリアル・シリアルパラレル変換２０２４に送り、プリンタ２０の入力データビット数の画像データに分解し、プリントバッファ２０２５に保存する。また、画像バス２００８がIEEE１３９４の場合には、画像バスからおくられてくるシリアル画像データを画像バスＩ／Ｆコントローラで受け取り、パラレルシリアル・シリアルパラレル変換２０２４に送り、プリンタ２０の入力データビット数の画像データに変換し、プリントバッファ２０２５に保存する。そして、プリンタ２０から送られてくるタイミング信号に同期させて、バッファ内の画像データを先入れ先出しで、プリンタ２０に送る。
【００６５】
次に、携帯端末の操作パネルのダウンロード方法、ＭＦＰ機能の割り当て、携帯端末からのＭＦＰ操作について説明する。
【００６６】
まず携帯端末にＭＦＰの操作パネルをダウンロードしてくる必要がある。方法は携帯電話で直接メーカーなどが提供している操作パネルをダウンロードしてくるか、一旦PCにダウンロードして、その後PCから携帯電話に操作パネルをダウンローズするか、ＭＦＰと直接通信してＭＦＰから操作パネルをダウンロードする方法がある。
【００６７】
ＭＦＰからダウンロードする場合は本特許では、Ｂｌｕｅｔｏｏｔｈで通信を実現するが無線LＡNや有線通信などＢｌｕｅｔｏｏｔｈ以外でも手段は限らない。携帯端末にＭＦＰ操作部をダウンロードすると図１６の１６０１の携帯端末Ｆｕｎｃｔｉｏｎの一覧の中にＭＦＰパネルに関する機能が追加される。
【００６８】
図１６で携帯端末１６０１で一般ボタンを押すと１６０２のような画面が現れＭＦＰパネルとＭＦＰパネル変更という項目が追加される。ＭＦＰパネルを選択すると図１のような画面が現れ携帯端末からＭＦＰを操作するパネルが現れる。ＭＦＰパネル変更を選択すると図１７の１７０１ような現在使用できるＭＦＰの機能の一覧と操作階層を現れる。
【００６９】
例えば、倍率機能は最上位階層の４番ボタンに現在設定されており、その下の階層に拡大縮小機能が割り当てられている。例えばＡ３からＡ４サイズに縮小したい場合、図１の状態で４番ボタンを押すと１７０１のようになり、１７０１で１番ボタンを押すとＡ３→Ａ４の縮小機能が設定きる。例えば、倍率機能は縮小のＡ３→Ａ４しか使用しない人はＡ３→Ａ４を４番ボタンに１７０２の画面で割り当てれば、図１の画面は図１７０３のようになり、今まで４番ボタン以下に設定されていた機能は図１の９番ボタンに割り当てられているその他の下の階層に入れられることになる。
【００７０】
今得られた携帯端末上のＵＩパネル使用して、ＭＦＰを操作するにはＢｌｕｅｔｏｏｔｈ通信が可能な距離までＭＦＰに近づき、図１のＭＦＰ通信ボタンを押すと通信を開始し、MPFから携帯端末へＭＦＰの機能情報が送信され、その後図１の画面を用い、機能を設定した後スタートボタンを押すとＭＦＰが起動される。ここで、
1． 携帯端末側の現在持っている機能よりも高機能なＭＦＰを使用する場合
図１の画面でＭＦＰ通信ボタンを押して得られた機能に新規機能があった場合、図１８のフローチャート１８０１に従い新規機能のキー割付を行いその後ＭＦＰ操作に入る。例えば、ステープルソートという機能が追加された場合、まず、ステップ１でキー割り付けをする場合ステップ３へしない場合はステップ２へ進むステップ２では、キー割り付けされなかった機能を図１のその他ボタンの下の階層に割り当てキー割り付けを終了する。
【００７１】
ステップ３では割り付けるキーを選択し、ステップ４へ進む。ステープルソート機能をソータ機能の下の階層に割り当てたい場合、１８０２の様に４番ボタンを押す。
【００７２】
ステップ４では、YESを選択しステップ３へ戻り、図１８−２の下の画面で３番ボタンを選択し、ステップ４へ進む。ステップ４ではNOを選択し、割付を終了し、その後ＭＦＰの設定に移る。
【００７３】
2． ＭＦＰ通信の際に得られた機能が現在携帯端末の持っている機能よりも低い場合
図１の画面でＭＦＰ通信ボタンを押して得られた機能が自分の持っている携帯端末操作パネルの機能よりの低い場合は、図１９のようになる。例えば、センド、FＡX機能が使用できない場合は、図１の画面で使用できない機能をグレーアウトし、選択できないようにする。
【００７４】
更に図１の下の階層にある機能が使用できない場合、例えば、使用できる用紙サイズに制限がある場合は、図１の画面で５番の用紙選択を選んだ次の画面で使用できない用紙サイズをグレーアウトして使用できないようにしている。このように使用できない機能を明示しユーザーの利便性を向上させている。
【図面の簡単な説明】
【００７５】
【図１】携帯端末上のＭＦＰ操作パネルを示す図である。
【図２】本発明の画像処理装置を含むネットワークシステムを示す図である。
【図３】本発明の画像処理装置の外観を示すである。
【図４】画像処理装置の全体構成を示す断面図である。
【図５】操作部を示す図である。
【図６】LCD表示を示す図である。
【図７】画像形成装置におけるスキャナ１０、プリンタ２０の構成を示すブロック図である。
【図８】コントローラユニットの構成を示す図である。
【図９】スキャナ画像処理部のブロック図を示す図である。
【図１０】プリンタ画像処理部のブロック図を示す図である。
【図１１】画像圧縮処理部のブロック図を示す図である。
【図１２】画像回転部のブロック図を示す図である。
【図１３】画像回転処理の説明図を示す図である。
【図１４】画像回転処理の説明図を示す図である。
【図１５】デバイスＩ／Ｆ部のブロック図を示す図である。
【図１６】携帯端末上のＭＦＰ操作パネルの表示例である。
【図１７】携帯端末上のＭＦＰ操作パネルの表示例である。
【図１８】携帯端末上のＭＦＰ操作パネルの表示例である。
【図１９】携帯端末上のＭＦＰ操作パネルの表示例である。
【符号の説明】
【００７６】
１４０  操作部
２００  インターネット
２２０  画像形成装置
２０１１  ＬＡＮ
【図１】
2007067534.tif 000003
【図２】
2007067534.tif 000004
【図３】
2007067534.tif 000005
【図４】
2007067534.tif 000006
【図５】
2007067534.tif 000007
【図６】
2007067534.tif 000008
【図７】
2007067534.tif 000009
【図８】
2007067534.tif 000010
【図９】
2007067534.tif 000011
【図１０】
2007067534.tif 000012
【図１１】
2007067534.tif 000013
【図１２】
2007067534.tif 000014
【図１３】
2007067534.tif 000015
【図１４】
2007067534.tif 000016
【図１５】
2007067534.tif 000017
【図１６】
2007067534.tif 000018
【図１７】
2007067534.tif 000019
【図１８】
2007067534.tif 000020
【図１９】
2007067534.tif 000021